(57)【要約】【課題】  形成された三次元画像を板状部材に対して起立するように表示することができ、所定情報の視認性を向上させることができる画像表示装置を提供すること。【解決手段】  テーブル１１０と、テーブル１１０に収容されたユニット１２０とを備えるように画像表示装置１００を構成する。テーブル１１０は、水平方向に延在する天面１１５と天面１１５に沿って設けられた凹部１１６及び凸部１１７とを有している。ユニット１２０は、凸部１１７の下方に設けられ、二次元画像を表示することにより表示された二次元画像に対応する表示光を出射するディスプレイ１２１と出射された表示光を結像することにより結像された表示光に対応する三次元画像を形成するマイクロレンズアレイ１２２とを有している。形成された三次元画像は、天面１１５に対して起立するとともに、凹部１１６の上方に位置するようになっている。【選択図】  図１
2006171042.tif 000002
【特許請求の範囲】
【請求項１】
収容空間を隔離する収容体と、前記収容空間に収容された表示体とを備え、
前記収容体は、所定方向に延在する天面と前記天面に沿って設けられた凹部及び凸部とを有し、
前記表示体は、前記凸部の下方に設けられ、二次元画像を表示することにより前記表示された二次元画像に対応する表示光を出射する表示部材と前記出射された表示光を結像することにより前記結像された表示光に対応する三次元画像を形成する結像部材とを有し、
前記形成された三次元画像は、前記天面に対して起立するとともに、前記凹部の上方に位置することを特徴とする画像表示装置。
【請求項２】
請求項１に記載の画像表示装置において、
前記形成された三次元画像が前記天面に対して移動するように、前記表示体を駆動する駆動手段を更に備えることを特徴とする画像表示装置。
【請求項３】
請求項１又は請求項２に記載の画像表示装置において、
前記表示体の位置及び方向に応じて、前記表示された二次元画像の態様を変更する変更手段を更に備えることを特徴とする画像表示装置。
【請求項４】
請求項１から請求項３の何れか一項に記載の画像表示装置において、
前記結像部材は、複数のレンズを有するマイクロレンズアレイによって構成されたことを特徴とする画像表示装置。
【請求項５】
請求項１から請求項４の何れか一項に記載の画像表示装置において、
前記結像部材は、前記形成された三次元画像の視野角を制限することを特徴とする画像表示装置。
【請求項６】
請求項１から請求項５の何れか一項に記載の画像表示装置において、
前記形成された三次元画像は、秘匿性を有する情報を提示することを特徴とする画像表示装置。
【発明の詳細な説明】
【技術分野】
【０００１】
本願は、情報提示用の画像を表示する画像表示装置の技術分野に属する。
【背景技術】
【０００２】
従来、この種の画像表示装置の一例として、マイクロレンズアレイによって三次元画像を形成し、当該形成された三次元画像を前方空間に表示するように構成された画像表示装置が知られている（例えば、特許文献１参照）。
【特許文献１】特開２００４−１５１６４５（第４頁、第１図）
【発明の開示】
【発明が解決しようとする課題】
【０００３】
しかしながら、上述した従来の画像表示装置は、形成された三次元画像を前方空間に表示するように構成されているために、形成された三次元画像とマイクロレンズアレイとの間に板状部材が設けられた場合に、形成された三次元画像を板状部材に対して起立するように表示することが困難であるという事情があった。
【０００４】
そこで、本願は、上述した事情を鑑みてなされたものであり、その課題の一例として、形成された三次元画像を板状部材に対して起立するように表示することができ、所定情報の視認性を向上させることができる画像表示装置を提供することを目的とする。
【課題を解決するための手段】
【０００５】
上述した課題を解決するために、請求項１に記載の画像表示装置は、収容空間を隔離する収容体と、前記収容空間に収容された表示体とを備え、前記収容体は、所定方向に延在する天面と前記天面に沿って設けられた凹部及び凸部とを有し、前記表示体は、前記凸部の下方に設けられ、二次元画像を表示することにより前記表示された二次元画像に対応する表示光を出射する表示部材と前記出射された表示光を結像することにより前記結像された表示光に対応する三次元画像を形成する結像部材とを有し、前記形成された三次元画像は、前記天面に対して起立するとともに、前記凹部の上方に位置することを特徴とする構成を有している。
【発明を実施するための最良の形態】
【０００６】
以下、本願を実施するための最良の形態について、図面を用いて説明する。なお、以下説明する実施形態は、本願に係る画像表示装置を、例えば、テーブルタイプの画像表示装置に適用した場合の実施形態を示している。
【０００７】
具体的には、本実施形態における画像表示装置は、情報提示用の三次元画像を形成し、当該形成された三次元画像をテーブルに表示するように構成されている。
【０００８】
まず、本実施形態における画像表示装置の構成について、図１及び図２を用いて説明する。なお、図１は、本実施形態における画像表示装置を示す断面図であり、図２は、本実施形態における画像表示装置を示すブロック図である。
【０００９】
本実施形態における画像表示装置１００は、図１に示すように、収容空間１１１を隔離する収容体の一例としてのテーブル１１０と、収容空間１１１に収容された表示体の一例としてのユニット１２０と、下述する制御部１３０とを備え、制御部１３０は、下述する情報を提示するための二次元画像を生成するようになっている。
【００１０】
テーブル１１０は、建物の一部、例えば、床部１１２に固定された側部１１３と、側部１１３に保持された天部１１４とを有し、側部１１３及び天部１１４は、上述した収容空間１１１を遮光及び密閉するようになっている。
【００１１】
天部１１４は、所定方向、例えば、水平方向に延在する天面１１５と、天面１１５に沿って設けられた凹部１１６及び凸部１１７とを有し、天面１１５側から入射した光を天面１１５側に反射するとともに、天面１１５の裏面側から入射した光を天面１１５側に透過する、所謂、ハーフミラーによって構成されている。
【００１２】
なお、本実施形態では、天部１１４は、ハーフミラーによって構成されているが、これに限らず、天面１１５の裏面側から入射した光を天面１１５側に透過するものであればよく、所謂、光透過性部材によって構成されていればよい。
【００１３】
ユニット１２０は、表示部材の一例としてのディスプレイ１２１と、結像部材の一例としてのマイクロレンズアレイ１２２と、ディスプレイ１２１及びマイクロレンズアレイ１２２を連結するフレーム１２３とを有している。
【００１４】
ディスプレイ１２１は、テーブル１１０の天部１１４に対向する表示面１２４を有し、生成された二次元画像を表示することにより、表示された二次元画像に対応する表示光を出射するようになっている。
【００１５】
マイクロレンズアレイ１２２は、テーブル１１０の天部１１４とディスプレイ１２１との間に設けられ、出射された表示光を結像することにより、結像された表示光に対応する三次元画像１２５を形成するようになっている。
【００１６】
ユニット１２０は、テーブル１１０の凸部１１７の下方に設けられ、形成された三次元画像１２５は、テーブル１１０の天面１１５に対して起立する（例えば、０°から９０°に位置する）とともに、テーブル１１０の凹部１１６の上方に位置するようになっている。
【００１７】
具体的には、形成された三次元画像１２５は、秘匿性を有する情報、例えば、遊技情報、会議情報、商品情報、美容情報などの情報を提示するようになっている。
【００１８】
なお、本実施形態では、一つのユニット１２０がテーブル１１０の凸部１１７の下方に設けられているが、これに限らず、複数のユニット１２０がテーブル１１０の凸部１１７の下方に設けられてもよい。
【００１９】
また、画像表示装置１００は、図２に示すように、生成手段及び変更手段の一例としての制御部１３０と、駆動手段の一例としての駆動部１４０と、操作信号を入力するための入力部１５０とを備えている。
【００２０】
制御部１３０は、上述した情報を提示するための二次元画像を生成し、当該生成された二次元画像に対応する画像信号をディスプレイ１２１に出力するようになっている。そして、ディスプレイ１２１は、入力された画像信号に応じて二次元画像を表示するようになっている。
【００２１】
駆動部１４０は、モータ、ギアなどの駆動機器によって構成され、形成された三次元画像１２５がテーブル１１０の天面１１５に対して移動するように、ユニット１２０を駆動するようになっている。そして、制御部１３０は、ユニット１２０の位置及び方向に応じて、表示された二次元画像の態様を変更するようになっている。
【００２２】
具体的には、ユニット１２０は、テーブル１１０に対して回転するように駆動されてもよく、テーブル１１０に沿って移動するように駆動されてもよい。さらに、ディスプレイ１２１及びマイクロレンズアレイ１２２は、フレーム１２３に対して前後、左右及び上下に移動するように駆動されてもよい。
【００２３】
なお、本実施形態では、ユニット１２０は、駆動部１４０によって駆動されるように構成されているが、これに限らず、利用者によって駆動されるように構成されてもよい。この場合に、ユニット１２０は、テーブル１１０の天部１１４に連動して駆動されるように構成されてもよい。
【００２４】
入力部１５０は、タッチパネル、デジタイザなどの入力機器によって構成され、利用者によって操作されたときに操作信号を生成し、当該生成された操作信号を制御部１３０に出力するようになっている。そして、制御部１３０は、入力された操作信号に応じて二次元画像を生成するようになっている。
【００２５】
具体的には、制御部１３０は、入力部１５０から操作信号が入力されないときには、案内情報を提示するための二次元画像、所謂、デモ画像を生成するとともに、入力部１５０から操作信号が入力されたときには、上述した情報を提示するための二次元画像を生成するようになっている。
【００２６】
次に、本実施形態におけるディスプレイ及びマイクロレンズアレイの構成について、図３及び図４を用いて説明する。なお、図３は、本実施形態におけるディスプレイ及びマイクロレンズアレイを示す側面図であり、図４は、本実施形態におけるレンズを示す側面図である。
【００２７】
ディスプレイ１２１は、図３に示すように、上述した情報を提示するための二次元画像を表示する表示面１２４を有し、表示面１２４から表示光を出射するようになっている。
【００２８】
具体的には、ディスプレイ１２１は、ＬＣＤ（Liquid Crystal Display）、ＰＤＰ（Plasma Display Panel）、有機ＥＬ（Electroluminescence）ディスプレイ、ＣＲＴ（Cathode Ray Tube）ディスプレイなどの表示機器によって構成されている。
【００２９】
なお、本実施形態では、ディスプレイ１２１は、表示面１２４から表示光を出射する表示機器によって構成されているが、これに限らず、二次元画像が形成された部材、例えば、枚葉状のシート、ロール状のシートなどの部材を変動することにより二次元画像を表示する表示機器によって構成されてもよい。
【００３０】
マイクロレンズアレイ１２２は、図３に示すように、出射された表示光を結像する結像面１２６を有し、結像面１２６に沿って三次元画像を形成するようになっている。
【００３１】
具体的には、マイクロレンズアレイ１２２は、マトリクス状に配置された複数のレンズ１２７を有し、各レンズ１２７の結像距離に応じて、出射された表示光を結像するようになっている。
【００３２】
また、マイクロレンズアレイ１２２は、図４に示すように、形成された三次元画像の視野角を、好ましくは、±３０°、さらに好ましくは、±１５°に制限するようになっている。
【００３３】
次に、本実施形態における画像表示装置の動作について、図５を用いて説明する。なお、図５は、本実施形態における画像表示工程を示すフローチャートである。
【００３４】
本実施形態における画像表示装置１００は、図５に示すように、形成された三次元画像をテーブル１１０に表示する画像表示工程（ステップＳ１０１からステップＳ１０６）を実行する。
【００３５】
まず、制御部１３０は、入力部１５０から操作信号が入力されたか否かを判別し（ステップＳ１０１）、入力部１５０から操作信号が入力されなかった場合には、案内情報を提示するための二次元画像、所謂、デモ画像をディスプレイ１２１に表示して（ステップＳ１０２）、上述した判別処理（ステップＳ１０１）を繰り返す。一方、入力部１５０から操作信号が入力された場合には、次の処理に移行する。
【００３６】
次いで、制御部１３０は、入力部１５０からの操作信号に応じて、上述した情報を提示するための二次元画像をディスプレイ１２１に表示する（ステップＳ１０３）。このときに、マイクロレンズアレイ１２２は、出射された表示光を結像することにより、結像された表示光に対応する三次元画像を形成する（ステップＳ１０４）。
【００３７】
次いで、制御部１３０は、入力部１５０から操作信号が入力されたか否かを判別し（ステップＳ１０５）、入力部１５０から操作信号が入力された場合には、上述した表示処理（ステップＳ１０３）及び形成処理（ステップＳ１０４）を繰り返す。一方、入力部１５０から操作信号が入力されなかった場合には、案内情報を提示するための二次元画像、所謂、デモ画像をディスプレイ１２１に表示して（ステップＳ１０６）、本工程を終了する。
【００３８】
以上説明したように、本実施形態では、画像表示装置１００は、収容空間１１１を隔離するテーブル１１０と、収容空間１１１に収容されたユニット１２０とを備え、テーブル１１０は、水平方向に延在する天面１１５と天面１１５に沿って設けられた凹部１１６及び凸部１１７とを有し、ユニット１２０は、凸部１１７の下方に設けられ、二次元画像を表示することにより表示された二次元画像に対応する表示光を出射するディスプレイ１２１と出射された表示光を結像することにより結像された表示光に対応する三次元画像を形成するマイクロレンズアレイ１２２とを有し、形成された三次元画像は、天面１１５に対して起立するとともに、凹部１１６の上方に位置することを特徴とする構成を有している。
【００３９】
この構成により、本実施形態では、テーブル１１０の凸部１１７の下方にユニット１２０が設けられているので、形成された三次元画像をテーブル１１０の天面１１５に対して起立するように表示することができ、所定情報の視認性を向上させることができる。
【００４０】
また、本実施形態では、画像表示装置１００は、形成された三次元画像が天面１１５に対して移動するように、ユニット１２０を駆動する駆動部１４０を更に備えることを特徴とする構成を有している。
【００４１】
この構成により、本実施形態では、テーブル１１０の天面１１５に対して三次元画像が移動するようにユニット１２０を駆動するので、三次元画像の表示位置を調整することができるとともに、三次元画像の表示態様を演出することができる。特に、マイクロレンズアレイ１２２を駆動する場合には、ディスプレイ１２１を駆動する場合に比較して、三次元画像の移動量が２倍になり、さらに効果的である。
【００４２】
また、本実施形態では、画像表示装置１００は、ユニット１２０の位置及び方向に応じて、表示された二次元画像の態様を変更する制御部１３０を更に備えることを特徴とする構成を有している。
【００４３】
この構成により、本実施形態では、ユニット１２０の位置及び方向に応じて二次元画像の態様を変更するので、多位置、多方向に三次元画像を表示することができ、複数の利用者に所定情報を提示することができる。
【００４４】
また、本実施形態では、結像部材は、複数のレンズ１２７を有するマイクロレンズアレイ１２２によって構成されたことを特徴とする構成を有している。
【００４５】
この構成により、本実施形態では、マイクロレンズアレイ１２２によって結像部材が構成されているので、結像部材を簡易に製造することができ、製造コストを低減することができる。
【００４６】
また、本実施形態では、マイクロレンズアレイ１２２は、形成された三次元画像の視野角を制限することを特徴とする構成を有している。
【００４７】
この構成により、本実施形態では、三次元画像の視野角を制限するので、一の利用者に提示された情報を他の利用者が視認すること、所謂、盗視を防止することができる。
【００４８】
また、本実施形態では、形成された三次元画像は、秘匿性を有する情報を提示することを特徴とする構成を有している。
【００４９】
この構成により、本実施形態では、秘匿性を有する情報を提示するので、例えば、遊技情報、会議情報、商品情報、美容情報などの情報を提示することができる。
【００５０】
なお、本実施形態の変形例として、図６に示すように、上述したテーブル１１０が、建物の一部、例えば、床部１１２に埋め込まれるように構成されてもよい。
【００５１】
また、本実施形態の変形例として、図７に示すように、テーブル１１０の内周に凹部１１６が設けられるとともに、テーブル１１０の外周に凸部１１７が設けられるように構成されてもよい。
【００５２】
また、本実施形態の変形例として、図８に示すように、上述したテーブル１１０が、建物の一部、例えば、床部１１２に埋め込まれるように構成されてもよい。
【図面の簡単な説明】
【００５３】
【図１】本願の一実施形態における画像表示装置を示す断面図である。
【図２】本願の一実施形態における画像表示装置を示すブロック図である。
【図３】本願の一実施形態におけるディスプレイ及びマイクロレンズアレイを示す側面図である。
【図４】本願の一実施形態におけるレンズを示す側面図である。
【図５】本願の一実施形態における画像表示工程を示すフローチャートである。
【図６】本願の一実施形態における画像表示装置を示す断面図である。
【図７】本願の一実施形態における画像表示装置を示す断面図である。
【図８】本願の一実施形態における画像表示装置を示す断面図である。
【符号の説明】
【００５４】
１００  画像表示装置
１１０  テーブル
１１１  収容空間
１１２  床部
１１３  側部
１１４  天部
１１５  天面
１１６  凹部
１１７  凸部
１２０  ユニット
１２１  ディスプレイ
１２２  マイクロレンズアレイ
１２３  フレーム
１２４  表示面
１２５  三次元画像
１２６  結像面
１２７  レンズ
１３０  制御部
１４０  駆動部
１５０  入力部
【図１】
2006171042.tif 000003
【図２】
2006171042.tif 000004
【図３】
2006171042.tif 000005
【図４】
2006171042.tif 000006
【図５】
2006171042.tif 000007
【図６】
2006171042.tif 000008
【図７】
2006171042.tif 000009
【図８】
2006171042.tif 000010